(57)【要約】【課題】カーテンウォール構成部材を建物躯体に取付けるカーテンウォール用ファスナーを、十分な強度を有すると共に、簡単に製作できるようにしたカーテンウォールとする。【解決手段】アルミ押出形材の本体部材１０とアルミ押出形材の補強部材２０を備え建物躯体３に固着されるアングル部材２ａと、カーテンウォール構成部材１に固着されるブラケット２ｂをボルト２ｃで固定するカーテンウォール用ファスナーとし、前記本体部材１０は第１の溝１３を有し建物躯体３に固着される横向板１１と、第２の溝１４を有しブラケット２ｂに前記ボルト２ｃで固定される縦向板１２でＬ字形状で、前記補強部材２０は本体２１に第１取付部２２と第２取付部２３を設けたもので、その第１・第２取付部２２，２３が前記第１・第２の溝１３．１４にそれぞれ嵌合して取付けられることで縦向板１２が変形等しないように補強している。【選択図】図４
2006144290.tif 000002
【特許請求の範囲】
【請求項１】
カーテンウォール構成部材を建物躯体に、カーテンウォール用ファスナーで取付けたカーテンウォールにおいて、
前記カーテンウォール用ファスナーは、建物躯体に固着されるアングル部材と、カーテンウォール構成部材に固着されるブラケットと、このブラケットと前記アングル部材を固定するボルトを有し、
前記アングル部材は、アルミ押出形材の本体部材とアルミ押出形材の補強部材を備え、
その本体部材は、建物躯体に固着され室内外側方向に向かう横向板と上下方向に向かう縦向板でＬ字形状で、その横向板は、その内側面に長手方向に連続した第１の溝を有すると共に、縦向板は、その内側面に長手方向に連続した第２の溝を有し、
前記補強部材は、本体と、前記第１の溝に嵌合する第１取付部と、前記第２の溝に嵌合する第２取付部を有し、その第１・第２取付部が第１・第２の溝にそれぞれ嵌合して補強部材が本体部材に取付けてあり、
この縦向板と前記ブラケットを、前記ボルトで固定するようにしたことを特徴とするカーテンウォール。
【請求項２】
カーテンウォール構成部材を建物躯体に、カーテンウォール用ファスナーで取付けたカーテンウォールにおいて、
前記カーテンウォール用ファスナーは、建物躯体に固着されるアングル部材と、カーテンウォール構成部材に固着されるブラケットと、このブラケットと前記アングル部材を固定するボルトを有し、
前記アングル部材は、アルミ押出形材の本体部材とアルミ押出形材の補強部材を備え、
その本体部材は、建物躯体に固着され室内外側方向に向かう横向板と上下方向に向かう縦向板でＬ字形状で、その横向板の内側面の室内側端部には長手方向に連続した第１の溝を有すると共に、縦向板の内側面の上端部には長手方向に連続した第２の溝を有し、
前記補強部材は、横向板の内側面のほぼ全面に接する第１面と縦向板の内側面のほぼ全面に接する第２面でＬ字状の面を有する本体と、前記第１の溝に嵌合する第１取付部と、前記第２の溝に嵌合する第２取付部を有し、その第１・第２取付部が第１・第２の溝にそれぞれ嵌合すると共に、本体の第１面が横向板の内側面のほぼ全面に接し、本体の第２面が縦向板の内側面のほぼ全面に接して補強部材が本体部材に取付けてあり、
この縦向板と前記ブラケットを、前記ボルトで固定するようにしたことを特徴とするカーテンウォール。
【請求項３】
補強部材を本体部材にビス止めして長手方向に動かないようにした請求項１又は２記載のカーテンウォール。
【発明の詳細な説明】
【技術分野】
【０００１】
本発明は、カーテンウォール構成部材を建物躯体に、カーテンウォール用ファスナーで取付けたカーテンウォールに関する。
【背景技術】
【０００２】
特許文献１にカーテンウォール構成部材を建物躯体に、カーテンウォール用ファスナーで取付けたカーテンウォールが開示されている。
このカーテンウォール用ファスナーは、建物躯体に固着されるアングル部材と、カーテンウォール構成部材（方立）に固着されるブラケットを備え、そのアングル部材とブラケットをボルトで固定することでカーテンウォール構成部材を建物躯体に取付けるものである。
【０００３】
【特許文献１】実開昭５５−４７５０３号公報
【発明の開示】
【発明が解決しようとする課題】
【０００４】
前述した従来のアングル部材は、建物躯体に固着される横向板とブラケットが固定される縦向板でＬ字形状で、その横向板と縦向板とに亘って三角板形状の補強リブを溶接により設けて補強した形状である。
つまり、横向板と縦向板でＬ字形状であるから、カーテンウォール構成部材が大重量であると強度不足によって縦向板が変形等することがあるので、横向板と縦向板とに亘って補強リブを溶接により設けてアングル部材の強度を十分なものとし、縦向板が変形等しないようにしている。
このために、従来のアングル部材を製作するには、面倒な補強リブの溶接作業が必要であるので、そのアングル部材の製作が大変面倒であった。
【０００５】
本発明の目的は、カーテンウォール構成部材を建物躯体に取付けるカーテンウォール用ファスナーのアングル部材の強度が十分で縦向板が変形等しないと共に、そのアングル部材を簡単に製作できるようにしたカーテンウォールとすることである。
【課題を解決するための手段】
【０００６】
第１の発明は、カーテンウォール構成部材を建物躯体に、カーテンウォール用ファスナーで取付けたカーテンウォールにおいて、
前記カーテンウォール用ファスナーは、建物躯体に固着されるアングル部材と、カーテンウォール構成部材に固着されるブラケットと、このブラケットと前記アングル部材を固定するボルトを有し、
前記アングル部材は、アルミ押出形材の本体部材とアルミ押出形材の補強部材を備え、
その本体部材は、建物躯体に固着され室内外側方向に向かう横向板と上下方向に向かう縦向板でＬ字形状で、その横向板は、その内側面に長手方向に連続した第１の溝を有すると共に、縦向板は、その内側面に長手方向に連続した第２の溝を有し、
前記補強部材は、本体と、前記第１の溝に嵌合する第１取付部と、前記第２の溝に嵌合する第２取付部を有し、その第１・第２取付部が第１・第２の溝にそれぞれ嵌合して補強部材が本体部材に取付けてあり、
この縦向板と前記ブラケットを、前記ボルトで固定するようにしたことを特徴とするカーテンウォールである。
【０００７】
第２の発明は、カーテンウォール構成部材を建物躯体に、カーテンウォール用ファスナーで取付けたカーテンウォールにおいて、
前記カーテンウォール用ファスナーは、建物躯体に固着されるアングル部材と、カーテンウォール構成部材に固着されるブラケットと、このブラケットと前記アングル部材を固定するボルトを有し、
前記アングル部材は、アルミ押出形材の本体部材とアルミ押出形材の補強部材を備え、
その本体部材は、建物躯体に固着され室内外側方向に向かう横向板と上下方向に向かう縦向板でＬ字形状で、その横向板の内側面の室内側端部には長手方向に連続した第１の溝を有すると共に、縦向板の内側面の上端部には長手方向に連続した第２の溝を有し、
前記補強部材は、横向板の内側面のほぼ全面に接する第１面と縦向板の内側面のほぼ全面に接する第２面でＬ字状の面を有する本体と、前記第１の溝に嵌合する第１取付部と、前記第２の溝に嵌合する第２取付部を有し、その第１・第２取付部が第１・第２の溝にそれぞれ嵌合すると共に、本体の第１面が横向板の内側面のほぼ全面に接し、本体の第２面が縦向板の内側面のほぼ全面に接して補強部材が本体部材に取付けてあり、
この縦向板と前記ブラケットを、前記ボルトで固定するようにしたことを特徴とするカーテンウォールである。
【０００８】
本発明においては、補強部材を本体部材にビス止めして長手方向に動かないようにすることが好ましい。
このようにすれば、建物建設現場などでアングル部材を持ち運び等する際に、補強部材が本体部材から外れることがない。
【発明の効果】
【０００９】
請求項１に係る発明によれば、カーテンウォール用ファスナーのアングル部材は、Ｌ字形状の本体部材を補強部材で補強したものであるから、アングル部材の強度が十分で、その縦向板が変形等することがない。
また、本体部材、補強部材はアルミ押出形材で、その本体部材の第１・第２の溝に補強部材の第１・第２取付部を嵌合して本体部材に補強部材を取付けることで、アングル部材としているから、面倒な溶接作業が不要で、アングル部材を簡単に製作できる。
また、本体部材、補強部材はアルミ押出形材であるから、その第１・第２の溝、第１・第２取付部の寸法精度が向上され、本体部材の第１・第２の溝と補強部材の第１・第２取付部をしっかりと強固に嵌合することができ、アングル部材を簡単に組立できるし、十分な強度を有するものにできる。
【００１０】
請求項２に係る発明によれば、請求項１に係る発明と同様であるし、補強部材の本体の第１・第２面が横向板、縦向板の内側面のほぼ全面にそれぞれ接するので、この補強部材によって本体部材をしっかりと補強し、アングル部材をより一層十分な強度を有するものにできる。
【発明を実施するための最良の形態】
【００１１】
図１と図２に示すように、カーテンウォール構成部材１をカーテンウォール用ファスナー２で建物躯体３に取付けてカーテンウォールとしてある。
前記カーテンウォール構成部材１は、枠体４にパネル５を取付けたカーテンウォールユニット６を多数備えたユニット式のカーテンウォール用サッシで、各カーテンウォールユニット６は窓部６ａとスパンドレル部６ｂを有する。その各枠体４の縦枠材７におけるスパンドレル部６ｂと対向した部分がカーテンウォール用ファスナー２で建物躯体３に取付けてある。
なお、枠体４の横枠材８をカーテンウォール用ファスナー２で建物躯体３に取付けても良い。
また、カーテンウォール構成部材１が方立式のカーテンウォール用サッシの場合には、その方立をカーテンウォール用ファスナー２で建物躯体３に取付けるようにする。
【００１２】
前記カーテンウォール用ファスナー２は、図３と図４に示すように、建物躯体３に固着されるアングル部材２ａと、カーテンウォール構成部材１に固着されるブラケット２ｂと、このアングル部材２ａとブラケット２ｂを固定するボルト２ｃを備えている。
前記アングル部材２ａは本体部材１０と補強部材２０を有する。
この本体部材１０はアルミ押出形材を所定の長さに切断したもので、室内外側方向に向かう横向板１１と上下方向に向かう縦向板１２でＬ字形状で、その横向板１１は長手方向に連続した第１の溝１３を有すると共に、建物躯体３に固着される。前記縦向板１２は長手方向に連続した第２の溝１４を有すると共に、ブラケット２ｂにボルト２ｃで固着される。
前述の第１の溝１３は、横向板１１の縦向板１２と反対側の端部（つまり、室内側端部）に形成することが好ましいが、縦向板１２寄りに形成しても良いし、中間部に形成しても良く、さらには前述のいくつかの位置にそれぞれ形成しても良い。
前述の第１の溝１３の形状は、横向板１１の内側面（上面）１１ａと連続し、かつ縦向板１２に向かうコ字形状（つまり、室外側に向かうコ字形状）が好ましいが、横向板１１の内側面１１ａに開口した上向きのあり溝形状でも良い。つまり、第１の溝１３は横向板１１の内側面１１ａに形成すれば良い。
前記第２の溝１４は、縦向板１２の横向板１１と反対側の端部（つまり、上端部）に形成することが好ましいが、横向板１１寄りに形成しても良いし、中間部に形成しても良く、さらには前述のいくつかの位置にそれぞれ形成しても良い。
前述の第２の溝１４の形状は、縦向板１２の内側面（室内側面）１２ａと連続し、かつ横向板１１に向かうコ字形状（つまり、下向きのコ字形状）が好ましいが、縦向板１２の内側面１２ａに開口した横向きのあり溝形状でも良い。つまり、第２の溝１４は横向板１２の内側面１２ａに形成すれば良い。
この実施の形態では、横向板１１の室内側端部、縦向板１２の上端部がそれぞれ鉤形状で、前述の第１・第２の溝１３，１４を形成し、その横向板１１の室内側端面、縦向板１２の上端面には凹部１１ｃ，１２ｃを長手方向に連続して有する。また、横向板１１、縦向板１２は同一長さで、第１・第２の溝１３，１４も同一形状で、アングル部材１０は横向板１１と縦向板１２のコーナー部を境として対称形状である。
【００１３】
前記横向板１１には第１孔１５が形成され、この第１孔１５は内側面１１ａと外側面（下面）１１ｂに貫通している。
前記縦向板１２には第２孔１６が形成され、この第２孔１６は内側面１２ａと外側面（室外側面）１２ｂに貫通している。
前記横向板１１、縦向板１２の内側面１１ａ，１２ａには、長手方向に連続した小さな凹凸１７，１８がそれぞれ形成されている。この本体部材１０はアルミ押出形材であるから、凹凸１７，１８を有する形状とすることは容易である。
前記第１孔１５は室内外側方向に向かう長孔で、前記第２孔１６は上下方向に向かう長孔である。
【００１４】
前記補強部材２０はアルミ押出形材を本体部材１０よりも短い長さに切断したもので、本体２１と、前記第１の溝１３に嵌合する第１取付部２２と、前記第２の溝１４に嵌合する第２取付部２３を有し、補強部材２０を本体部材１０の長手方向に移動することで第１・第２取付部２２，２３が第１・第２の溝１３，１４にそれぞれ嵌合して補強部材２０が本体部材１０に取付けられ、本体部材１０を補強部材２０で補強し、縦向板１２が変形等しないようにする。
つまり、カーテンウォール構成部材１の自重や強風雨によって、縦向板１２に、その縦向板１２を室内側に倒す外力、室外側に倒す外力が作用するが、縦向板１２を室内側に倒す外力は第２取付部２３、本体２１、第１取付部２２を介して横向板１１に伝わることで、縦向板１２が室内側に倒れる方向に変形することを防止する。
また、縦向板１２を室外側に倒す外力は、前述と同様に横向板１１に伝わるから、縦向板１２が室外側に倒れる方向に変形することを防止することができる。
【００１５】
前記補強部材２０の本体２１は、横向板１１の内側面１１ａのほぼ全面に接する第１面２４と、縦向板１２の内側面１２ａのほぼ全面に接する第２面２５でＬ字形状の面を有することが好ましい。
この実施の形態では、補強部材２０の本体２１は、ほぼ直角となった第１辺部２１ａと第２辺部２１ｂ、この第１辺部２１ａと第２辺部２１ｂを連続する第３辺部２１ｃと、第１辺部２１ａと第２辺部２１ｂのコーナー部と第３辺部２１ｃの長手方向中間部を連続するリブ２１ｄによって、ほぼ直角二等辺三角形状で、２つの空洞部２６を有し、その２つの頂部に第１・第２取付部２２，２３が一体的に設けてあり、この補強部材２０は、前述のリブ２１ｄを境として対称形状で、前記第１辺部２１ａの外面（下面）、第２辺部２１ｂの外面（室外側面）が前述の第１・第２面２４，２５である。このように、補強部材２０をほぼ直角二等辺三角形状で、２つの空洞部２６を有する形状としたので、材料が節約できコストダウンにつながる。
また、前述の本体部材１０が横向板１１と縦向板１２のコーナー部を境として対称形状で、前述の補強部材２０がリブ２１ｄを境として（つまり、第１面２４と第２面２５のコーナー部を境として）対称形状であるから、本体部材１０を補強部材２０でより強固に補強できると共に、補強部材２０を、その第１面２４が縦向板１２の内側面１２ａに接し、第２面２５が横向板１１の内側面１１ａに接するように本体部材１０に取付けできる。
【００１６】
この実施の形態では第１・第２取付部２２，２３をビス２７で横向板１１、縦向板１２の第１・第２の溝１３，１４部分に固定して長手方向に動かないようにしてある。
なお、前記空洞部２６からビスを第１辺部２１ａ、第２辺部２１ｂを挿通して横向板１１、縦向板１２に螺合して補強部材２０が長手方向に動かないようにしても良い。つまり、補強部材２０を本体部材１０にビス止めして長手方向に動かないようにすれば良い。
また、前述のようにビス止めではなく、接着剤で動かないように固定したり、くさび片を第１・第２の溝１３，１４と第１・第２取付部２２，２３との間に押し込んで動かないように固定しても良い。
また、ビス、接着剤、くさび片を用いずに第１・第２の溝１３，１４に第１・第２取付部２２，２３を強い力で嵌合することで動かないようにしても良い。
【００１７】
前記ブラケット２ｂはアルミ押出形材を所定の長さに切断したもので、カーテンウォール構成部材１に固定する固定部３０と、縦向板１２に引掛ける掛止部３１と、前記ボルト２ｃが螺合する螺合部３２を有する。
前記固定部３０は縦枠材７の室内側面７ａに接する縦板状で、その上下の孔３３からボルト３４を縦枠材７を貫通し、その縦枠材７の中空部７ｂに設けた裏板３５に螺合して取付ける。
前記掛止部３１は横片３１ａと縦片３１ｂで下向き鉤形状で、その横片３１ａに螺合した高さ調整ボルト３６が、前記縦向板１２の上端部、この実施の形態では凹部１２ｃに設けたステンレスプレート１９に当接し、その高さ調整ボルト３６を締付け、弛めることでブラケット２ｂとともにカーテンウォール構成部材１が上下に移動し、高さ調整できる。このように、高さ調整ボルト３６はステンレスプレート１９に当接するので、その高さ調整ボルト３６の滑りを向上できる。
前記固定部３０の上下中間にあり溝３７が長手方向に連続して形成され、このあり溝３７に矩形状のナット部材３８を長手方向から挿入して設けることで前述の螺合部３２としてある。
【００１８】
前記本体部材１０の横向板１１が建物躯体３に固着される。
例えば、建物躯体３のファスナー取付部分３ａに左右方向の長孔４０を形成し、この長孔４０から横向板１１の第１孔１５にボルト４１を挿通し、このボルト４１に座金４２を設けてナット４３を螺合し、その座金４２を横向板１１の内側面１１ａに押しつけて横向板１１を建物躯体３に固着する。
前記座金４２は凹凸を有し、その凹凸が横向板１１の内側面１１ａに形成した凹凸１７に噛合するので、横向板１１を建物躯体３に強固に固着できる。
【００１９】
前記ボルト２ｃは、縦向板１２の第２孔１６からナット部材３８に螺合し、座金４４を縦向板１２の内側面１２ａに押しつけると共に、ブラケット２ｂの室内側面（取付部３０のあり溝３７部分の室内側面３０ａ）と縦向板１２の外側面１２ｂを押しつけて縦向板１２とブラケット２ｂ（取付部３０）を固定する。
前記座金４４は凹凸を有し、その凹凸が縦向板１２の内側面１２ａに形成した凹凸１８に噛合するので、縦向板１２と取付部３０を強固に固定できる。
前記取付部３０のあり溝３７部分の室内側面３０ａは上下方向に湾曲した円弧凸面で、アングル部材２ａとブラケット２ｂは上下方向に相対的に揺動変位できるので、カーテンウォール構成部材１の取付け姿勢を上下方向に揺動して映像調整できる。
なお、縦向板１２の外側面１２ｂを上下方向に湾曲した円弧凸面としても良い。
【００２０】
この実施の形態では、１つのアングル部材２ａに２つのブラケット２ｂが固定されるので、そのアングル部材２ａの本体部材１０の長手方向両端部分に補強部材２０をそれぞれ設けてある。
これに限ることはなく、１つのアングル部材２ａに１つのブラケット２ｂを固定しても良いし、本体部材１０に３つ以上の補強部材２０を設けても良いし、１つの補強部材２０のみを設けても良い。
また、補強部材２０の本体２１は、横向板１１、縦向板１２の内側面１１ａ，１２ａと接しない形状でも良い。例えば、断面矩形の棒形状で、その両端部に第１・第２取付部２２，２３を一体的に設けて補強部材２０とする。
また、アルミ押出形材とは、アルミニウム又はアルミニウム合金を素材として押出機を用い、所定の断面形状に押出し成形したものである。
【図面の簡単な説明】
【００２１】
【図１】カーテンウォールの一部外観図である。
【図２】カーテンウォールの一部縦断面図である。
【図３】カーテンウォール用ファスナーによるカーテンウォールの取付部分の斜視図である。
【図４】カーテンウォール用ファスナーによるカーテンウォールの取付部分の縦断面図である。
【符号の説明】
【００２２】
２ａ…アングル部材、２ｂ…ブラケット、２ｃ…ボルト、１０…本体部材、１１…横向板、１２…縦向板、１３…第１の溝、１４…第２の溝、２０…補強部材、２１…本体、２２…第１取付部、２３…第２取付部、２７…ビス。
【図１】
2006144290.tif 000003
【図２】
2006144290.tif 000004
【図３】
2006144290.tif 000005
【図４】
2006144290.tif 000006